(57)【要約】【課題】メールマガジンやメーリングリストなどのコンテンツが一度に大量に配信されることを回避し、かつ時系列的なコンテンツについて過去ログの参照等を行わなくても連続して配信することが可能なデータ配信管理システムを提供する。【解決手段】購読者データベース１３に新たな購読者が登録されると、１回目の配信時には過去に登録されたメールも含めて、メールデータベース１２から最も日付の古いメールから順に配信する。１回当りに配信するメールの件数を購読者が目を通せる程度に制限し、その中で最新のメールの日付を購読者データベース１３に記録する。次回の配信時には、メールデータベース１２に保存されたメールの中から未配信のメールを古いものから順に特定し、定められた件数のメールを配信する。これを定期的に繰り返すことにより、購読者は毎回決まった量のメールを、初回分から時系列に従って受け取ることができる。【選択図】        図３
2004287651.tif 000002
【特許請求の範囲】
【請求項１】
コンテンツデータが格納された格納日付を付してコンテンツデータを格納するコンテンツデータ格納手段と、
前記コンテンツデータを配信する配信先各々について、配信した最も新しいコンテンツデータに付された前記格納日付である配信済日付を格納する配信済日付格納手段と、
前記配信先に配信するコンテンツデータを前記コンテンツデータ格納手段から選択するコンテンツデータ選択手段と、を備えていて、
前記コンテンツデータ選択手段は、配信先各々について前記配信済日付より新しい日付の前記格納日付を付されたコンテンツデータのうち、前記格納日付の古いものから順に少なくとも一つを選択し、配信済日付の記録されていない配信先には、全てのコンテンツデータのうち、前記格納日付の最も古いものから順に少なくとも一つ選択することを特徴とするデータ配信管理システム。
【請求項２】
前記配信済日付格納手段に格納された前記配信済日付を更新する配信済日付更新手段を備えていて、
前記配信済日付更新手段は、前記配信先に新たなコンテンツデータを配信すると、前記配信済日付を前記配信先に配信したコンテンツデータに付された前記格納日付のうち最も新しいものに更新することを特徴とする請求項１記載のデータ配信管理システム。
【請求項３】
前記コンテンツデータ選択手段は、配信先各々について前記格納日付が最も古いもの１件を選択することを特徴とする請求項１又は２記載のデータ配信管理システム。
【請求項４】
前記配信済日付更新手段は、前記配信済日付を前記コンテンツデータ選択手段が選択したコンテンツに付された前記格納日付に更新することを特徴とする請求項３記載のデータ配信管理システム。
【請求項５】
前記配信済日付格納手段には、前記配信先の配信先アドレスが前記配信済日付と関連付けて格納されていて、
前記配信先アドレスに前記コンテンツデータ選択手段が選択したコンテンツデータを配信するコンテンツデータ配信手段を備えることを特徴とする請求項１乃至４いずれかに記載のデータ配信管理システム。
【請求項６】
前記コンテンツデータ選択手段は、所定の配信先についてのコンテンツデータの選択を定期的に行うことを特徴とする請求項１乃至５いずれかに記載のデータ配信管理システム。
【請求項７】
配信先へのコンテンツデータの配信を管理するためのプログラムであって、コンピュータに、
前記配信先に配信した最も新しいコンテンツデータに付された配信済日付を格納した配信済日付格納装置から、コンテンツデータを配信する配信先の配信済日付を取得する取得ステップと、
コンテンツデータが格納された格納日付を付してコンテンツデータを格納したコンテンツデータ格納装置から、前記配信済日付より新しい日付の前記格納日付を付されたコンテンツデータのうち、前記格納日付の古いものから順に少なくとも一つを選択し、前記配信済日付の記録されていない配信先には、前記格納日付を付されたコンテンツデータのうち、前記格納日付最もの古いものから順に少なくとも一つ選択するする選択ステップと、
前記選択ステップで選択されたコンテンツデータを前記配信先に配信する配信ステップと、
を実行させるためのデータ配信管理用プログラム。
【請求項８】
コンピュータに、前記配信済日付格納装置に格納された前記配信済日付を、前記配信先に配信したコンテンツデータに付された前記格納日付のうち最も新しいものに更新する更新ステップを実行させることを特徴とする請求項７記載のデータ配信管理用プログラム。
【請求項９】
前記選択ステップでは、前記コンテンツデータ格納装置から前記格納日付が最も古いもの１件を選択することを特徴とする請求項７又は８記載のデータ配信管理用プログラム。
【請求項１０】
前記更新ステップでは、前記配信済日付を前記選択ステップで選択したコンテンツに付された前記格納日付に更新することを特徴とする請求項９記載のデータ配信管理用プログラム。
【請求項１１】
配信先へのコンテンツデータの配信を管理するための方法であって、
コンピュータが、前記配信先に配信した最も新しいコンテンツデータに付された配信済日付を格納した配信済日付格納装置から、コンテンツデータを配信する配信先の配信済日付を取得する取得ステップと、
前記コンピュータが、コンテンツデータが格納された格納日付を付してコンテンツデータを格納したコンテンツデータ格納装置から、前記配信済日付より新しい日付の前記格納日付を付されたコンテンツデータのうち、前記格納日付の古いものから順に少なくとも一つを選択し、前記配信済日付の記録されていない配信先には、前記格納日付を付されたコンテンツデータのうち、前記格納日付最もの古いものから順に少なくとも一つ選択するする選択ステップと、
前記コンピュータが、前記選択ステップで選択されたコンテンツデータを前記配信先に配信する配信ステップと、
を有することを特徴とするデータ配信管理の方法。
【請求項１２】
前記コンピュータが、前記配信済日付格納装置に格納された前記配信済日付を、前記配信先に配信したコンテンツデータに付された前記格納日付のうち最も新しいものに更新する更新ステップを有することを特徴とする請求項１１記載のデータ配信管理の方法。
【発明の詳細な説明】
【０００１】
【発明の属する技術分野】
本発明は、複数の配信先へ配信するメールマガジンやメーリングリストなどのコンテンツデータの配信を管理するためのデータ配信管理システム、データ配信管理用プログラム及びデータ配信管理の方法に関するものである。
【０００２】
【従来の技術】
多くの情報取得者に対して共通のテーマについての情報提供や情報交換を行う手段として、電子メールを利用したメールマガジンやメーリングリストが広く用いられている。情報取得者は、メールマガジンの購読やメーリングリストへの参加を登録すると、登録後に指定したカテゴリに関する新たな情報を、電子メールにより受信することができる。
【０００３】
メールマガジンやメーリングリストから配信される電子メールは、通常は配信先の受信状況等に関わらず画一的に配信される。その結果、一旦登録をすると不要なメールまでも配信されてしまい、また複数のメールマガジンやメーリングリストに登録すると同一のメールが重複して配信される場合も生じてしまう。情報取得者は大量のメールを受信することとなって、必要なメールと不要なメールの区別も困難になり、結果としてメールへの興味を失ってしまうことも起こり易くなっている。
【０００４】
このような課題に対して、メールの配信先別の履歴を管理して同一又は類似のメールの配信を防止することにより配信するメールを制御する発明がなされている（例えば、特許文献１参照）。
【０００５】
【特許文献１】特開２００１−７６７２２号公報
【０００６】
【発明が解決しようとする課題】
しかしながら、前記特許文献１記載の発明では、同一又は類似のメールについての重複は防止できるものの、受信するメールの絶対数自体を制御することはできないという課題を残している。例えば、メーリングリストにおいて一度に異なる内容のメールが大量に投稿された場合には、配信先では大量のメールを受信することになってしまう。
【０００７】
また、メールマガジンやメーリングリストはいずれも登録した後に投稿されたメールのみが配信されることとなるため、情報取得者が過去のメールを読みたい場合には、過去ログと呼ばれる過去に配信されたメールを記録したデータベースにアクセスして、メールを取得しなければならない。特に、メールマガジンなどで時系列的に初回から購読することを前提に内容が構成されている場合には、過去ログ参照の手間を避けることができなかった。
【０００８】
本発明は、このような課題に対応してなされたものであり、メールマガジンやメーリングリストなどのコンテンツデータが一度に大量に配信されることを回避し、かつ時系列的なコンテンツデータについて過去ログの参照等を行わなくても特定のコンテンツから連続して配信することが可能な、コンテンツデータの配信を管理するためのデータ配信管理システム、データ配信管理用プログラム及びデータ配信管理の方法を提供することを目的とするものである。
【０００９】
【課題を解決するための手段】
これらの課題を解決するために、本発明にかかるデータ配信管理システムは、コンテンツデータが格納された格納日付を付してコンテンツデータを格納するコンテンツデータ格納手段と、前記コンテンツデータを配信する配信先各々について、配信した最も新しいコンテンツデータに付された前記格納日付である配信済日付を格納する配信済日付格納手段と、前記配信先に配信するコンテンツデータを前記コンテンツデータ格納手段から選択するコンテンツデータ選択手段と、を備えていて、前記コンテンツデータ選択手段は、配信先各々について前記配信済日付より新しい日付の前記格納日付を付されたコンテンツデータのうち、前記格納日付の古いものから順に少なくとも一つを選択し、配信済日付の記録されていない配信先には、全てのコンテンツデータのうち、前記格納日付の最も古いものから順に少なくとも一つ選択することを特徴とする。前記配信済日付格納手段に格納された前記配信済日付を更新する配信済日付更新手段を備えていて、前記配信済日付更新手段は、前記配信先に新たなコンテンツデータを配信すると、前記配信済日付を前記配信先に配信したコンテンツデータに付された前記格納日付のうち最も新しいものに更新することを特徴とすることもできる。
【００１０】
この発明においては、メールマガジンやメーリングリストなどのコンテンツデータがデータベース等の格納手段に格納された格納日付を記録し、配信先毎に配信した最新データの格納日付である配信済日付を参照して、これより新しいデータが格納手段にある場合には、格納日付の古いものから順に配信するデータを選択する。初めて配信を希望することを登録した配信先に対しては、全てのデータの中から最も古いものから順に選択する。このように選択することで配信するデータの時系列を維持し、かつ過去に登録されたデータも配信の対象にすることができる。また、選択するデータの数を一定の件数に制限すれば、一度に大量のデータを配信することを防止することもできる。
【００１１】
上記のように選択したデータを配信すると、配信したデータのうち最新のデータの格納日付を配信済日付として更新することにより、次の配信時には配信未済のデータの中から古いものから順にデータを選択することが可能になり、時系列を維持し、かつ配信するデータの重複を回避することができる。
【００１２】
前記コンテンツデータ選択手段は、配信先各々について前記格納日付が最も古いもの１件を選択することを特徴とすることもできる。前記配信済日付更新手段は、前記配信済日付を前記コンテンツデータ選択手段が選択したコンテンツに付された前記格納日付に更新することを特徴としてもよい。
【００１３】
この構成においては、配信先各々に配信するデータを１件に制限することにより、大量のデータが配信されることを防止することができる。配信するデータを１件に制限する場合には、配信後に更新される配信済日付には、配信したデータの格納日付をそのままに用いればよい。
【００１４】
前記配信済日付格納手段には、前記配信先の配信先アドレスが前記配信済日付と関連付けて格納されていて、前記配信先アドレスに前記コンテンツデータ選択手段が選択したコンテンツデータを配信するコンテンツデータ配信手段を備えることを特徴とすることもできる。
【００１５】
この構成においては、配信先各々の配信済日付と合わせて配信先の電子メールアドレス等の配信先アドレスを取得することにより、配信済日付から特定した配信用のコンテンツデータに配信先アドレスを付して、容易に当該データを配信することが可能になる。
【００１６】
前記コンテンツデータ選択手段は、所定の配信先についてのコンテンツデータの選択を定期的に行うことを特徴とすることもできる。
【００１７】
この構成においては、１日毎、１週間毎といったコンテンツデータを選択して配信するタイミングを設定することにより、データを大量に配信することを防止し、配信の間隔を平準化することが可能になる。
【００１８】
また、本発明は、これらのデータ配信管理システムのそれぞれの構成に対応して、当該データ配信管理システムを稼動させるためのコンピュータプログラムとして構成することもできる。
【００１９】
つまり、本発明は、配信先へのコンテンツデータの配信を管理するためのプログラムであって、コンピュータに、前記配信先に配信した最も新しいコンテンツデータに付された配信済日付を格納した配信済日付格納装置から、コンテンツデータを配信する配信先の配信済日付を取得する取得ステップと、コンテンツデータが格納された格納日付を付してコンテンツデータを格納したコンテンツデータ格納装置から、前記配信済日付より新しい日付の前記格納日付を付されたコンテンツデータのうち、前記格納日付の古いものから順に少なくとも一つを選択し、前記配信済日付の記録されていない配信先には、前記格納日付を付されたコンテンツデータのうち、前記格納日付最もの古いものから順に少なくとも一つ選択するする選択ステップと、前記選択ステップで選択されたコンテンツデータを前記配信先に配信する配信ステップと、を実行させるためのデータ配信管理用プログラムである。コンピュータに、前記配信済日付格納装置に格納された前記配信済日付を、前記配信先に配信したコンテンツデータに付された前記格納日付のうち最も新しいものに更新する更新ステップを実行させることを特徴とすることもできる。
【００２０】
前記選択ステップでは、前記コンテンツデータ格納装置から前記格納日付が最も古いもの１件を選択することを特徴とすることもできる。前記更新ステップでは、前記配信済日付を前記選択ステップで選択したコンテンツに付された前記格納日付に更新することを特徴としてもよい。
【００２１】
さらに、本発明は、上記それぞれの構成にかかるデータ配信管理システム又はデータ配信管理用プログラムに対応して、それぞれのデータ配信管理システム又はデータ配信管理用プログラムを用いたデータ配信管理の方法として構成することもできる。
【００２２】
【発明の実施の形態】
本発明の実施の形態について、図面を用いて以下に詳細に説明する。尚、以下の説明では、本発明にかかるデータ配信管理システムを、メールマガジンやメーリングリストの配信に利用する場合について説明するが、以下の例は本発明の実施形態の一例であって、本発明はかかる実施形態に限定されるものではない。
【００２３】
図１、図２は、本発明にかかるデータ配信管理システムを、それぞれメールマガジンの配信、メーリングリストの配信に利用する場合の構成を示す図である。図３は、本発明にかかるデータ配信管理システムの構成の一例を示すブロック図である。図４、図５は、本発明にかかるデータ配信管理システムの、それぞれメールデータベース、購読者データベースの一例を示す図である。図６は、本発明にかかるデータ配信管理システムにより、メールマガジンを配信するスケジュールの一例を示す図である。図７は、本発明にかかるデータ配信管理システムを用いたメール配信のフローチャートである。
【００２４】
図１に示したメールマガジンの配信においては、メールマガジンの管理者が配信するメールに日付を付してメールマガジンサーバに登録する。メールマガジンサーバには、購読者それぞれについて最新の配信済みメールの日付が記録されており、定期的にこの日付を参照して、購読者に未配信のメールの中から最も古い日付のメールを配信する。
【００２５】
ここで配信するメールは１通であることが好ましいが、購読者に負荷がかからない程度であれば、複数のメールであってもよい。いずれにしても、配信するメールの件数を制限することにより、購読者に一度に大量のメールを配信してしまうことを回避することができる。
【００２６】
また、購読者毎に配信済みメールの日付を管理するため、途中から購読を開始した購読者であっても、過去にメールマガジンサーバに登録されたメールから時系列に従ってメールを受信することができる。メールマガジンのコンテンツが初回からの連載物であるような場合には、特に有効である。
【００２７】
図２に示したメーリングリストの配信においては、メーリングリストへの投稿者が投稿するメールに日付を付してメーリングリストサーバに登録する。メーリングリストサーバには、参加者それぞれについて最新の配信済みメールの日付が記録されており、定期的にこの日付を参照して、参加者に未配信のメールの中から最も古い日付のメールを配信する。
【００２８】
この実施形態においても、配信するメールは１通であることが好ましいが、参加者に負荷がかからない程度であれば、複数のメールであってもよい。配信するメールの件数を制限することにより、参加者に一度に大量のメールを配信してしまうことを回避することができる点はメールマガジンの場合と同様である。また、参加者毎に配信済みメールの日付を管理するため、途中からメーリングリストに参加した参加者であっても、過去にメーリングリストサーバに登録されたメールから、時系列に従ってメールを受信することができることも、メールマガジンの場合と同様である。
【００２９】
図３において、本発明にかかるデータ配信管理システムの機能を備えたメール配信システム１０は、送受信部１１、メールデータベース１２及び購読者データベース１３を含んで構成されている。メール配信システム１０をメールマガジン配信用に用いる場合であれば、メール配信システム１０には管理者端末２０から入力された配信用のメールを受信する。受信したメールは、インターネット等の通信ネットワークを介して、購読者端末３０に送信される。
【００３０】
メールデータベース１２には、図４の例に示すように、配信するメールが受信日付を付して、キューに保存されている。一般的なメールマガジンであれば新規に登録されたメールはそのまま購読者に配信されるが、ここではメールデータベース１２にメールが登録された時点においては、メールの配信は行われない。
【００３１】
一方、購読者データベース１３には、図５の例に示すように、メールマガジンの購読者のメールアドレスと、配信済メール日付として、それぞれの購読者に配信したメールのうち、メールデータベース１２で付された受信日付が最新のものの日付が記録されている。メールを配信する際には、それぞれの購読者について購読者データベース１３で配信済メール日付を参照し、メールデータベース１２で付された受信日付がそれ以降のものの中から、日付が古い順に配信すべきメールデータとして選択する。
【００３２】
また、購読者データベース１３に新たな購読者のメールアドレスが登録される場合には、１回目の配信が行われるまで配信済メール日付のフィールドは、新規等の記録がされて日付データはないものとして扱われる。このような初回の購読者に対しては、メールデータベース１２の全てのメールの中から、受信日付が最も古いものを選択して第１回のメールとして配信する。ここで配信したメールに付された受信日付のうち最も新しいものが、購読者データベース１３の当該購読者にかかるレコードに配信済メール日付として記録される。以後は１回目の配信で記録された配信済メール日付を基準として、配信済メール日付より受信日付が新しいものの中から、時系列に従って古いものから順に選択して配信する。
【００３３】
ここで配信するメールは、購読者が大量のメールに埋もれないことを考慮すると１件であることが望ましいが、購読者が目を通すことが可能な量であれば複数件であってもよい。配信したメールのうち、メールデータベース１２の受信日付が最も新しいものの受信日付が、次に配信用メールを選択する際の配信済メール日付となる。
【００３４】
上記のように設定することにより、購読者データベース１３に新たな購読者が登録されると、１回目の配信時には過去に登録されたメールも含めて、メールデータベース１２から最も日付の古いメールから順に送信することができる。１回当りに配信するメールの件数を購読者が目を通せる程度に制限し、その中で最新のメールの日付を購読者データベース１３に記録する。次回の配信時には、購読者データベース１３に記録された最新の配信済メールの日付から、メールデータベース１２に保存されたメールの中から未配信のメールを古いものから順に特定し、定められた件数のメールを配信する。このような方法による配信を定期的に繰り返すことにより、購読者は毎回決まった量のメールを、初回分から時系列に従って受け取ることができる。
【００３５】
図６は、メールデータベース１２及び購読者データベース１３に、図４及び図５に示したデータが記録されている場合に、メールマガジンを配信するスケジュールを示したものである。配信するメールは、それぞれ図の上側の▲１▼〜▲５▼に示したタイミングで、メールデータベース１２に保存される。メールの配信は、配信スケジュール欄にあるように、１２月１日、８日といった順で、１週間毎に各１件ずつの配信が行われる。
【００３６】
購読者ａａａａａが１２月５日に購読を開始すると、１２月２日、１２月４日にそれぞれメールデータベース１２に保存された▲１▼、▲２▼のうち、受信日付の古い▲１▼が次回の配信時の１２月８日に配信される。１週間後の配信日となる１２月１５日には、▲２▼が配信される。その後には新たなメールが登録されていないため、▲３▼が登録された後の１月５日までは、配信が行われない。
【００３７】
購読者ｃｃｃｃｃについて見ると、購読を開始した１月１４日の時点においては、メールデータベース１２には▲１▼〜▲３▼のメールが保存されている。ここで１月１９日の初回配信時に配信されるのは、▲１▼〜▲３▼の中で最も日付の古い▲１▼となり、その後１週間毎に日付の古いものから順に配信される。１月２０日には新たなメールである▲４▼が登録されているが、その次の配信タイミングとなる１月２６日には、最新のメール▲４▼ではなく、その時点の未配信メールで最も古い▲２▼が配信される。
【００３８】
上記の１月２６日のタイミングで見ると、購読者ａａａａａ、購読者ｂｂｂｂｂについては最新のメールである▲４▼が配信されるが、購読者ｃｃｃｃｃについては上記の通り▲２▼が配信される。このように、それぞれの購読者への過去の配信履歴を参照することにより、最初のメールからの順序を保証しながら、定期的なメール配信を行うことができる。
【００３９】
図５に示した購読者データベース１３の一例は、２月１０日時点の状況を示している。図６で見ると、２月９日には購読者ａａａａａ、購読者ｂｂｂｂｂに▲５▼が配信されているため、配信済メール日付は直前に登録されたメールの受信日付である２月３日となっている。購読者ｃｃｃｃｃについては▲４▼が配信され、配信済メール日付は▲４▼の受信日付である１月２０日となっている。購読者ｄｄｄｄｄについては初回のメールを送信しただけなので、▲１▼の受信日付である１２月２日となっている。前回の配信の後に購読者として登録された購読者ｅｅｅｅｅは、未だメール配信が行われていないため、配信済メール日付のフィールドは「新規」となっている。
【００４０】
次回の配信時である２月１６日には、購読者ａａａａａ、購読者ｂｂｂｂｂは配信済日付より新しい日付のメールがメールデータベース１２に登録されていないので、配信は行われない。購読者ｃｃｃｃｃ、購読者ｄｄｄｄｄについては、それぞれ配信済メール日付より受信日付の新しいメールを特定し、その中から最も日付の古いもの、それぞれ▲５▼、▲２▼を選択して配信する。新規として扱われる購読者ｅｅｅｅｅについては、メールデータベース１２に記録された全てのデータを対象に受信日付を参照し、最も日付の古い▲１▼を初回分として送信する。
【００４１】
図７を用いて、本発明にかかるデータ配信管理システムを用いたメール配信のフローについて説明する。ここでは、定期的にメールを１通ずつ配信するケースについて説明する。
【００４２】
まず、メール配信システムを定期的に起動する。メールの配信先である購読者ごとに購読者データベースを参照して（Ｓ０１）、当該購読者に関する配信済メール日付を取得する（Ｓ０２）。次に、メールデータベースを参照して（Ｓ０３）、配信済メール日付よりメールを受信した日付である受信日付が新しいメールがあるか否かを確認する（Ｓ０４）。新しいメールが存在しない場合には、配信は行われずに処理を終了する。
【００４３】
メールが存在する場合には、配信済メール日付より受信日付が新しいメールの中から最も古いメールのメールデータを取得して、これを当該購読者宛に送信する（Ｓ０５）。併せて、購読者データベースの当該購読者にかかる配信済メール日付は、配信した当該メールに付された受信日付に更新して（Ｓ０６）、処理を終了する。このフローを、登録された全ての購読者について繰り返す。
【００４４】
【発明の効果】
この発明により、メールマガジンやメーリングリストなどからのコンテンツを受信する情報取得者は、情報提供者側から大量のコンテンツが登録されたとしても、一度に大量のコンテンツが配信されることなく、定期的に一定量のコンテンツを受信することができる。
【００４５】
また、情報取得者がどの時点からコンテンツの受信を開始したとしても、過去ログの参照等を行わなくても、初回から順に時系列に従ってコンテンツを受信することができる。メールマガジンなどでコンテンツが初回からの連載物であるような場合には、特に有効である。
【００４６】
さらに、情報提供者からの新規のコンテンツの登録が中断されたとしても、新規に登録された情報取得者に対しては、過去に保存されたコンテンツを配信することが可能であるため、新規のコンテンツが提供されない状況が継続したとしても、メールマガジンやメーリングリストなどの運営を継続することができる。
【図面の簡単な説明】
【図１】本発明にかかるデータ配信管理システムを、メールマガジンの配信に利用する場合の構成を示す図である。
【図２】本発明にかかるデータ配信管理システムを、メーリングリストの配信に利用する場合の構成を示す図である。
【図３】本発明にかかるデータ配信管理システムの構成の一例を示すブロック図である。
【図４】本発明にかかるデータ配信管理システムのメールデータベースの一例を示す図である。
【図５】本発明にかかるデータ配信管理システムの購読者データベースの一例を示す図である。
【図６】本発明にかかるデータ配信管理システムにより、メールマガジンを配信するスケジュールの一例を示す図である。
【図７】本発明にかかるデータ配信管理システムを用いたメール配信のフローチャートである。
【符号の説明】
１０    メール配信システム
１１    送受信部
１２    メールデータベース
１３    購読者データベース
２０    管理者端末
３０    購読者端末
【図１】
2004287651.tif 000003
【図２】
2004287651.tif 000004
【図３】
2004287651.tif 000005
【図４】
2004287651.tif 000006
【図５】
2004287651.tif 000007
【図６】
2004287651.tif 000008
【図７】
2004287651.tif 000009